(57)【要約】  基地局は、それぞれのユーザデバイスからスペア協力集合が対応するチャネル状態情報を受信する。第１の集合には予め配置されている複数の協力集合が含まれ、それぞれのユーザデバイスが対応するスペア協力集合が、第１の集合から選ばれたものであり、かつ、ユーザデバイスの測定によって得られるチャネル品質の最もよいサービスセクタを少なくとも含む。基地局は、それぞれの協力集合パターンに含まれる複数の協力集合のうちそれぞれの協力集合が対応するユーザデバイス集合を特定し、前記協力集合が対応するユーザデバイス集合は、対応するスペア協力集合のうち前記協力集合を含むユーザデバイスから構成されており、基地局は、協力集合が対応するユーザデバイス集合におけるユーザデバイスが報告したチャネル状態情報に基づき、それぞれの協力集合に対してユーザスケジューリングを行う。
2012128331.tif 000002
【特許請求の範囲】
【請求項１】
基地局に用いられる通信処理方法であって、前記基地局は複数のセクタを備え、前記通信処理方法において、
基地局は、それぞれのユーザデバイスから一部または全てのスペア協力集合が対応するチャネル状態情報を受信し、第１の集合には予め配置されている複数の協力集合が含まれ、それぞれの協力集合は２つ以上のセクタから構成され、それぞれのユーザデバイスが対応するスペア協力集合が、第１の集合から選ばれたものであり、かつ、ユーザデバイスの測定によって得られるチャネル品質の最もよいサービスセクタを少なくとも含み、
基地局は、それぞれの協力集合パターンに含まれる複数の協力集合のうちそれぞれの協力集合が対応するユーザデバイス集合を特定し、前記協力集合が対応するユーザデバイス集合は、対応するスペア協力集合のうち前記協力集合を含むユーザデバイスから構成されており、
基地局は、協力集合が対応するユーザデバイス集合におけるユーザデバイスが報告したチャネル状態情報に基づき、それぞれの協力集合に対してユーザスケジューリングを行い、
基地局は、協力集合のスケジューリング結果に基づいて伝送の採用する協力集合パターン及びユーザデバイスを特定した後に、特定されたユーザデバイスとは特定された協力集合パターンに基づいてデータ伝送を行う、ことを特徴とする通信処理方法。
【請求項２】
請求項１に記載の通信処理方法であって、さらに、
基地局は、それぞれのユーザデバイスが各々報告した前記サービスセクタのインデックスを獲得し、
基地局は、それぞれのユーザデバイスに対して、各々の前記サービスセクタを含むスペア協力集合を予め配置されている協力集合からそれぞれ選択して、ユーザデバイスへ発行することを特徴とする通信処理方法。
【請求項３】
請求項２に記載の通信処理方法であって、
複数のセクタの物理セクタインデックスが異なる場合、前記サービスセクタのインデックスは物理セクタインデックスにより指示され、複数のセクタの物理セクタインデックスが同様である場合、前記サービスセクタのインデックスはアンテナインデックスにより指示されることを特徴とする通信処理方法。
【請求項４】
請求項２に記載の通信処理方法であって、
前記基地局は、前記スペア協力集合を高レイヤによってユーザデバイスへ発行することを特徴とする通信処理方法。
【請求項５】
請求項１に記載の通信処理方法であって、
基地局はそれぞれのユーザデバイスからスペア協力集合における全てのスペア協力集合が対応するチャネル状態情報を受信し、前記ユーザデバイスが報告した全てのスペア協力集合が対応するチャネル状態情報のうち、それぞれのスペア協力集合が対応するチャネルのＰＭＩは、当該スペア協力集合の最も大きいＣＱＩに対応するＰＭＩであることを特徴とする通信処理方法。
【請求項６】
請求項１に記載の通信処理方法であって、
基地局はそれぞれのユーザデバイスからスペア協力集合における全てのスペア協力集合が対応するチャネル状態情報を受信し、前記ユーザデバイスが報告したスペア協力集合が対応するチャネル状態情報のうち、それぞれのスペア協力集合が対応するチャネルのＰＭＩは同様であり、ユーザデバイスが報告したＰＭＩは、全てのＰＭＩのうち、対応する全てのスペア協力集合が対応するＣＱＩの総和が最も大きいＰＭＩであることを特徴とする通信処理方法。
【請求項７】
請求項１に記載の通信処理方法であって、
基地局はそれぞれのユーザデバイスからスペア協力集合における一部のスペア協力集合が対応するチャネル状態情報を受信し、その一部のスペア協力集合のうち何れか一つの最も大きいＣＱＩは、その他のスペア協力集合のうち何れか一つの最も大きいＣＱＩより等しいか大きいことを特徴とする通信処理方法。
【請求項８】
請求項７に記載の通信処理方法であって、
前記一部のスペア協力集合が対応するチャネル状態情報のうち、それぞれのスペア協力集合が対応するチャネルのＰＭＩは、当該スペア協力集合の最も大きいＣＱＩに対応するＰＭＩであることを特徴とする通信処理方法。
【請求項９】
請求項８に記載の通信処理方法であって、
前記一部のスペア協力集合が対応するチャネル状態情報のうち、それぞれのスペア協力集合が対応するチャネルのＰＭＩは同様であり、当該ＰＭＩは前記一部のスペア協力集合のＣＱＩの総和を最も大きくさせるＰＭＩであることを特徴とする通信処理方法。
【請求項１０】
請求項９に記載の通信処理方法であって、
前記一部のスペア協力集合が対応するチャネル状態情報のうち、それぞれのスペア協力集合が対応するチャネルのＣＱＩは同様であり、当該ＣＱＩはフィードバックされたＰＭＩに対応するＣＱＩのうちの最大値、最小値または平均値であることを特徴とする通信処理方法。
【請求項１１】
複数のセクタが設けられている基地局であって、
それぞれのユーザデバイスから全てまたは一部のスペア協力集合が対応するチャネル状態情報を受信し、第１の集合には予め配置されている複数の協力集合が含まれ、それぞれの協力集合は２つ以上のセクタから構成され、それぞれのユーザデバイスが対応するスペア協力集合が、第１の集合から選ばれたものであり、かつ、ユーザデバイスの測定によって得られるチャネル品質の最もよいサービスセクタを少なくとも含む受信モジュールと、
それぞれの協力集合パターンに含まれる複数の協力集合のうちそれぞれの協力集合が対応するユーザデバイス集合を特定し、前記協力集合が対応するユーザデバイス集合は対応するスペア協力集合のうち前記協力集合を含むユーザデバイスから構成されるユーザデバイス集合特定モジュールと、
協力集合が対応するユーザデバイス集合におけるユーザデバイスが報告したチャネル状態情報に基づき、それぞれの協力集合に対してユーザスケジューリングを行うためのスケジューリングモジュールと、
協力集合のスケジューリング結果に基づいて伝送の採用する協力集合パターン及びユーザデバイスを特定し、特定されたユーザデバイスとは特定された協力集合パターンに基づいてデータ伝送を行うための通信処理モジュールと、を含むことを特徴とする基地局。
【請求項１２】
請求項１１に記載の基地局であって、さらに、
それぞれのユーザデバイスが各々報告した前記サービスセクタのインデックスを獲得するための第１のアンテナ特定モジュールと、
それぞれのユーザデバイスに対して、各々の前記サービスセクタを含むスペア協力集合を予め配置されている協力集合からそれぞれ選択して、ユーザデバイスへ発行するための第１のスペア協力集合処理モジュールと、を含むことを特徴とする基地局。
【請求項１３】
請求項１１に記載の基地局であって、
複数のセクタの物理セクタインデックスが異なる場合、前記サービスセクタのインデックスは物理セクタインデックスにより指示され、複数のセクタの物理セクタインデックスが同様である場合、前記サービスセクタのインデックスはアンテナインデックスにより指示されることを特徴とする基地局。
【請求項１４】
請求項１２に記載の基地局であって、
前記スペア協力集合処理モジュールは、前記スペア協力集合を高レイヤによってユーザデバイスへ発行することを特徴とする基地局。
【請求項１５】
請求項１１に記載の基地局であって、
基地局はそれぞれのユーザデバイスからスペア協力集合における全てのスペア協力集合が対応するチャネル状態情報を受信し、前記ユーザデバイスが報告した全てのスペア協力集合が対応するチャネル状態情報のうち、それぞれのスペア協力集合が対応するチャネルのＰＭＩは、当該スペア協力集合の最も大きいＣＱＩに対応するＰＭＩであることを特徴とする基地局。
【請求項１６】
請求項１１に記載の基地局であって、
基地局はそれぞれのユーザデバイスからスペア協力集合における全てのスペア協力集合が対応するチャネル状態情報を受信し、前記ユーザデバイスが報告したスペア協力集合が対応するチャネル状態情報のうち、それぞれのスペア協力集合が対応するチャネルのＰＭＩは同様であり、ユーザデバイスが報告したＰＭＩは、全てのＰＭＩのうち、対応する全てのスペア協力集合が対応するＣＱＩの総和が最も大きいＰＭＩであることを特徴とする基地局。
【請求項１７】
請求項１１に記載の基地局であって、
基地局はそれぞれのユーザデバイスからスペア協力集合における一部のスペア協力集合が対応するチャネル状態情報を受信し、その一部のスペア協力集合のうち何れか一つの最も大きいＣＱＩは、その他のスペア協力集合のうち何れか一つの最も大きいＣＱＩより等しいか大きいことを特徴とする基地局。
【請求項１８】
請求項１７に記載の基地局であって、
前記一部のスペア協力集合が対応するチャネル状態情報のうち、それぞれのスペア協力集合が対応するチャネルのＰＭＩは、当該スペア協力集合の最も大きいＣＱＩに対応するＰＭＩであることを特徴とする基地局。
【請求項１９】
請求項１７に記載の基地局であって、
前記一部のスペア協力集合が対応するチャネル状態情報のうち、それぞれのスペア協力集合が対応するチャネルのＰＭＩは同様であり、当該ＰＭＩは前記一部のスペア協力集合のＣＱＩの総和を最も大きくさせるＰＭＩであることを特徴とする基地局。
【請求項２０】
請求項１９に記載の基地局であって、
前記一部のスペア協力集合が対応するチャネル状態情報のうち、それぞれのスペア協力集合が対応するチャネルのＣＱＩは同様であり、当該ＣＱＩはフィードバックされたＰＭＩに対応するＣＱＩのうちの最大値、最小値または平均値であることを特徴とする基地局。
【請求項２１】
基地局とユーザデバイスとの間で通信を行うための通信処理方法であって、前記基地局は複数のセクタを備え、前記通信処理方法において、
それぞれのユーザデバイスは、各々のセクタから受信した信号の信号品質をそれぞれ測定し、
それぞれのユーザデバイスは、測定の結果に基づいてチャネル品質の最もよいサービスセクタを特定し、各前記サービスセクタのインデックスを基地局に通知し、
基地局はそれぞれのユーザデバイスに対して、スペア協力集合を第１の集合からそれぞれ選択し、各ユーザデバイスがそれぞれ対応するスペア協力集合を対応するユーザデバイスに通知し、前記第１の集合には予め配置されている複数の協力集合が含まれ、それぞれの協力集合は２つ以上のセクタから構成され、それぞれのユーザデバイスが対応するスペア協力集合が、ユーザデバイスの前記サービスセクタを少なくとも含み、
基地局はそれぞれのユーザデバイスからスペア協力集合における全てまたは一部のスペア協力集合が対応するチャネル状態情報を受信し、
基地局は、それぞれの協力集合パターンに含まれる複数の協力集合のうちそれぞれの協力集合が対応するユーザデバイス集合を特定し、前記協力集合が対応するユーザデバイス集合は、対応するスペア協力集合のうち前記協力集合を含むユーザデバイスから構成されており、
基地局は、協力集合が対応するユーザデバイス集合におけるユーザデバイスが報告したチャネル状態情報に基づき、それぞれの協力集合に対してユーザスケジューリングを行い、
基地局は、協力集合のスケジューリング結果に基づいて伝送の採用する協力集合パターン及びユーザデバイスを特定した後に、特定されたユーザデバイスとは特定された協力集合パターンに基づいてデータ伝送を行う、ことを特徴とする通信処理方法。
【請求項２２】
請求項２１に記載の通信処理方法であって、
基地局はそれぞれのユーザデバイスからスペア協力集合における全てのスペア協力集合が対応するチャネル状態情報を受信し、前記ユーザデバイスが報告した全てのスペア協力集合が対応するチャネル状態情報のうち、それぞれのスペア協力集合が対応するチャネルのＰＭＩは、当該スペア協力集合の最も大きいＣＱＩに対応するＰＭＩであることを特徴とする通信処理方法。
【請求項２３】
請求項２１に記載の通信処理方法であって、
複数のセクタの物理セクタインデックスが異なる場合、前記サービスセクタのインデックスは物理セクタインデックスにより指示され、複数のセクタの物理セクタインデックスが同様である場合、前記サービスセクタのインデックスはアンテナインデックスにより指示されることを特徴とする通信処理方法。
【請求項２４】
請求項２１に記載の通信処理方法であって、
基地局はそれぞれのユーザデバイスからスペア協力集合における全てのスペア協力集合が対応するチャネル状態情報を受信し、前記ユーザデバイスが報告したスペア協力集合が対応するチャネル状態情報のうち、それぞれのスペア協力集合が対応するチャネルのＰＭＩは同様であり、ユーザデバイスが報告したＰＭＩは、全てのＰＭＩのうち、対応する全てのスペア協力集合が対応するＣＱＩの総和が最も大きいＰＭＩであることを特徴とする通信処理方法。
【請求項２５】
請求項２１に記載の通信処理方法であって、
基地局はそれぞれのユーザデバイスからスペア協力集合における一部のスペア協力集合が対応するチャネル状態情報を受信し、その一部のスペア協力集合のうち何れか一つの最も大きいＣＱＩは、その他のスペア協力集合のうち何れか一つの最も大きいＣＱＩより等しいか大きいことを特徴とする通信処理方法。
【請求項２６】
請求項２５に記載の通信処理方法であって、
前記一部のスペア協力集合が対応するチャネル状態情報のうち、それぞれのスペア協力集合が対応するチャネルのＰＭＩは、当該スペア協力集合の最も大きいＣＱＩに対応するＰＭＩであることを特徴とする通信処理方法。
【請求項２７】
請求項２５に記載の通信処理方法であって、
前記一部のスペア協力集合が対応するチャネル状態情報のうち、それぞれのスペア協力集合が対応するチャネルのＰＭＩは同様であり、当該ＰＭＩは前記一部のスペア協力集合のＣＱＩの総和を最も大きくさせるＰＭＩであることを特徴とする通信処理方法。
【請求項２８】
請求項２７に記載の通信処理方法であって、
前記一部のスペア協力集合が対応するチャネル状態情報のうち、それぞれのスペア協力集合が対応するチャネルのＣＱＩは同様であり、当該ＣＱＩはフィードバックされたＰＭＩに対応するＣＱＩのうちの最大値、最小値または平均値であることを特徴とする通信処理方法。
【請求項２９】
基地局とユーザデバイスとの間で通信を行うための通信処理方法であって、前記基地局は複数のセクタを備え、前記通信処理方法において、
基地局は、高レイヤシグナリングによって、協力集合に含まれるセクタ数及びフィードバック必要な協力集合数をそれぞれのユーザデバイスに通知し、
それぞれのユーザデバイスは、各々のセクタから受信した信号の信号品質をそれぞれ測定し、
それぞれのユーザデバイスは、測定の結果に基づいてチャネル品質の最もよいサービスセクタを特定し、
それぞれのユーザデバイスは自身に対して、予め保存されている第１の集合からスペア協力集合を選択し、前記第１の集合には予め配置されている複数の協力集合が含まれ、それぞれの協力集合は２つ以上のセクタから構成され、それぞれのユーザデバイスが対応するスペア協力集合が、ユーザデバイスの前記サービスセクタを少なくとも含み、
基地局はそれぞれのユーザデバイスからスペア協力集合における全てまたは一部のスペア協力集合が対応するチャネル状態情報を受信し、
基地局は、それぞれの協力集合パターンに含まれる複数の協力集合のうちそれぞれの協力集合が対応するユーザデバイス集合を特定し、前記協力集合が対応するユーザデバイス集合は、対応するスペア協力集合のうち前記協力集合を含むユーザデバイスから構成されており、
基地局は、協力集合が対応するユーザデバイス集合におけるユーザデバイスが報告したチャネル状態情報に基づき、それぞれの協力集合に対してユーザスケジューリングを行い、
基地局は、協力集合のスケジューリング結果に基づいて伝送の採用する協力集合パターン及びユーザデバイスを特定した後に、特定されたユーザデバイスとは特定された協力集合パターンに基づいてデータ伝送を行う、ことを特徴とする通信処理方法。
【請求項３０】
請求項２９に記載の通信処理方法であって、
基地局はそれぞれのユーザデバイスからスペア協力集合における全てのスペア協力集合が対応するチャネル状態情報を受信し、前記ユーザデバイスが報告した全てのスペア協力集合が対応するチャネル状態情報のうち、それぞれのスペア協力集合が対応するチャネルのＰＭＩは、当該スペア協力集合の最も大きいＣＱＩに対応するＰＭＩであることを特徴とする通信処理方法。
【請求項３１】
請求項２９に記載の通信処理方法であって、
基地局はそれぞれのユーザデバイスからスペア協力集合における全てのスペア協力集合が対応するチャネル状態情報を受信し、前記ユーザデバイスが報告したスペア協力集合が対応するチャネル状態情報のうち、それぞれのスペア協力集合が対応するチャネルのＰＭＩは同様であり、ユーザデバイスが報告したＰＭＩは、全てのＰＭＩのうち、対応する全てのスペア協力集合が対応するＣＱＩの総和が最も大きいＰＭＩであることを特徴とする通信処理方法。
【請求項３２】
請求項２９に記載の通信処理方法であって、
複数のセクタの物理セクタインデックスが異なる場合、前記サービスセクタのインデックスは物理セクタインデックスにより指示され、複数のセクタの物理セクタインデックスが同様である場合、前記サービスセクタのインデックスはアンテナインデックスにより指示されることを特徴とする通信処理方法。
【請求項３３】
請求項３１に記載の通信処理方法であって、
基地局はそれぞれのユーザデバイスからスペア協力集合における一部のスペア協力集合が対応するチャネル状態情報を受信し、その一部のスペア協力集合のうち何れか一つの最も大きいＣＱＩは、その他のスペア協力集合のうち何れか一つの最も大きいＣＱＩより等しいか大きいことを特徴とする通信処理方法。
【請求項３４】
請求項３３に記載の通信処理方法であって、
前記一部のスペア協力集合が対応するチャネル状態情報のうち、それぞれのスペア協力集合が対応するチャネルのＰＭＩは、当該スペア協力集合の最も大きいＣＱＩに対応するＰＭＩであることを特徴とする通信処理方法。
【請求項３５】
請求項３３に記載の通信処理方法であって、
前記一部のスペア協力集合が対応するチャネル状態情報のうち、それぞれのスペア協力集合が対応するチャネルのＰＭＩは同様であり、当該ＰＭＩは前記一部のスペア協力集合のＣＱＩの総和を最も大きくさせるＰＭＩであることを特徴とする通信処理方法。
【請求項３６】
請求項３５に記載の通信処理方法であって、
前記一部のスペア協力集合が対応するチャネル状態情報のうち、それぞれのスペア協力集合が対応するチャネルのＣＱＩは同様であり、当該ＣＱＩはフィードバックされたＰＭＩに対応するＣＱＩのうちの最大値、最小値または平均値であることを特徴とする通信処理方法。
【発明の詳細な説明】
【技術分野】
【０００１】
本発明は、無線移動通信分野、特に基地局内における協力マルチキャストの通信処理方法及び基地局に関する。
【背景技術】
【０００２】
LTE（Long  Term  Evolution）システム及びLTE-A(Long  Term  Evolution-Advanced)システムにおいて、基地局(eNodeB)のアンテナは、３セクタ(Sector)や６セクタの共相励振リニアアレー(ULA,  Uniform  Linear  Array)アンテナに配置されている。【０００３】
３セクタのアンテナは、図１のように配置されている。３つのセクタはそれぞれ１２０度の範囲を覆っており、セクタ毎に複数のビームアンテナが配置され、これらアンテナは水平指向が同様であり、かついずれも当該セクタのカバー範囲の中心にある。基地局の属するセル(Cell)が、３つの固定のセクタに分けられている。ユーザは、基準シンボル受信電力(RSRP,  Reference  Signal  Receiving  Power)を測定することにより、ＲＳＲＰの最も強いセクタ、即ちスケールが大きくかつ信号が最もよいセクタを選択してサービスセクタとする。ユーザは、チャネル品質の最もよいサービスセクタのチャネル状態情報に対してチャネル推定を行い、プリコーディングマトリクスのインデックス（PMI，Precoding  Matrix  Indicator）及びチャネル品質情報（CQI，Channel  Quality  Indicator）によって、チャネル品質の最もよいサービスセクタのチャネル状態情報を量子化させて基地局へフィードバックする。基地局の各セクタは、プロポーショナルフェアネス(Proportional  Fairness，PF)やラウンドロビン(Round-robin,  RR)などのアルゴリズムにより当該セクタのユーザの優先順位を決定し、優先順位の最も高いユーザにデータを送信する。
【発明の概要】
【発明が解決しようとする課題】
【０００４】
従来のシステムにおいて、基地局のアンテナは、セルのユーザが異なるセクタに属するように配置されている。セクタ中心のユーザはセクタアンテナの指向位置にあるため、強い信号を獲得することができるの対して、セクタ境界のユーザはセクタアンテナの指向位置からそれるため、受信した信号強度が弱い。セクタ境界のユーザは固定のアンテナを利用して通信するしかない。よって、セクタ中心のユーザとセクタ境界のユーザとは性能上において大きな差異が存在する。【０００５】
本発明は、セクタ境界のユーザとセクタ中心のユーザとの性能上の差異を減縮させ、セル境界のユーザのスループット及びセルの平均スループットを向上させることを目的とする。
【課題を解決するための手段】
【０００６】
上記の目的を実現させるために、本発明の実施例は、複数のセクタを備える基地局に用いられる通信処理方法を提供する。【０００７】
前記通信処理方法において、基地局は、それぞれのユーザデバイスからスペア協力集合が対応するチャネル状態情報を受信し、第１の集合には予め配置されている複数の協力集合が含まれ、それぞれの協力集合は２つ以上のセクタから構成され、それぞれのユーザデバイスが対応するスペア協力集合が、第１の集合から選ばれたものであり、かつ、ユーザデバイスの測定によって得られるチャネル品質の最もよいサービスセクタを少なくとも含み、基地局は、それぞれの協力集合パターンに含まれる複数の協力集合のうちそれぞれの協力集合が対応するユーザデバイス集合を特定し、前記協力集合が対応するユーザデバイス集合は、対応するスペア協力集合のうち前記協力集合を含むユーザデバイスから構成されており、基地局は、協力集合が対応するユーザデバイス集合におけるユーザデバイスが報告したチャネル状態情報に基づき、それぞれの協力集合に対してユーザスケジューリングを行い、基地局は、協力集合のスケジューリング結果に基づいて伝送の採用する協力集合パターン及びユーザデバイスを特定した後に、特定されたユーザデバイスとは特定された協力集合パターンに基づいてデータ伝送を行う。【０００８】
前記通信処理方法において、さらに、基地局は、それぞれのユーザデバイスが各々報告したチャネル品質の最もよいサービスセクタのインデックスを獲得し、基地局は、それぞれのユーザデバイスに対して、各々のチャネル品質の最もよいサービスセクタを含むスペア協力集合を予め配置されている協力集合からそれぞれ選択して、ユーザデバイスへ発行する。【０００９】
前記通信処理方法において、前記基地局は、前記スペア協力集合を高レイヤによってユーザデバイスへ発行する。【００１０】
前記通信処理方法において、前記ユーザデバイスが報告した全てまたは一部のスペア協力集合が対応するチャネル状態情報のうち、それぞれのスペア協力集合が対応するチャネルのＰＭＩは異なる。【００１１】
前記通信処理方法において、前記ユーザデバイスが報告した全てまたは一部のスペア協力集合が対応するチャネル状態情報のうち、それぞれのスペア協力集合が対応するチャネルのＰＭＩは同様である。【００１２】
上記の目的を実現させるために、本発明の実施例は、複数のセクタが設けられた基地局を提供する。【００１３】
前記基地局は、それぞれのユーザデバイスからスペア協力集合が対応するチャネル状態情報を受信し、第１の集合には予め配置されている複数の協力集合が含まれ、それぞれの協力集合は２つ以上のセクタから構成され、それぞれのユーザデバイスが対応するスペア協力集合が、第１の集合から選ばれたものであり、かつ、ユーザデバイスのチャネル品質の最もよいサービスセクタを少なくとも含む受信モジュールと、それぞれの協力集合パターンに含まれる複数の協力集合のうちそれぞれの協力集合が対応するユーザデバイス集合を特定し、前記協力集合が対応するユーザデバイス集合は対応するスペア協力集合のうち前記協力集合を含むユーザデバイスから構成されるユーザデバイス集合特定モジュールと、協力集合が対応するユーザデバイス集合におけるユーザデバイスが報告したチャネル状態情報に基づき、それぞれの協力集合に対してユーザスケジューリングを行うためのスケジューリングモジュールと、協力集合のスケジューリング結果に基づいて伝送の採用する協力集合パターン及びユーザデバイスを特定し、特定されたユーザデバイスとは特定された協力集合パターンに基づいてデータ伝送を行うための通信処理モジュールと、を含む。【００１４】
前記基地局は、さらに、それぞれのユーザデバイスが各々報告したチャネル品質の最もよいサービスセクタのインデックスを獲得するための第１のアンテナ特定モジュールと、それぞれのユーザデバイスに対して、各々のチャネル品質の最もよいサービスセクタを含むスペア協力集合を予め配置されている協力集合からそれぞれ選択して、ユーザデバイスへ発行するための第１のスペア協力集合処理モジュールと、を含む。【００１５】
前記基地局において、前記スペア協力集合処理モジュールは、前記スペア協力集合を高レイヤによってユーザデバイスへ発行する。【００１６】
上記の目的を実現させるために、本発明の実施例は、複数のセクタを備える基地局と、ユーザデバイスとの間で通信を行うための通信処理方法を提供する。【００１７】
前記通信処理方法において、それぞれのユーザデバイスは、各々のセクタから受信した信号の信号品質をそれぞれ測定し、それぞれのユーザデバイスは、測定の結果に基づいてチャネル品質の最もよいサービスセクタを特定し、各々のチャネル品質の最もよいサービスセクタのインデックスを基地局に通知し、基地局はそれぞれのユーザデバイスに対して、スペア協力集合を第１の集合からそれぞれ選択し、各ユーザデバイスがそれぞれ対応するスペア協力集合を対応するユーザデバイスに通知し、前記第１の集合には予め配置されている複数の協力集合が含まれ、それぞれの協力集合は２つ以上のセクタから構成され、それぞれのユーザデバイスが対応するスペア協力集合が、ユーザデバイスのチャネル品質の最もよいサービスセクタを少なくとも含み、基地局はそれぞれのユーザデバイスからスペア協力集合が対応するチャネル状態情報を受信し、基地局は、それぞれの協力集合パターンに含まれる複数の協力集合のうちそれぞれの協力集合が対応するユーザデバイス集合を特定し、前記協力集合が対応するユーザデバイス集合は、対応するスペア協力集合のうち前記協力集合を含むユーザデバイスから構成されており、基地局は、協力集合が対応するユーザデバイス集合におけるユーザデバイスが報告したチャネル状態情報に基づき、それぞれの協力集合に対してユーザスケジューリングを行い、基地局は、協力集合のスケジューリング結果に基づいて伝送の採用する協力集合パターン及びユーザデバイスを特定した後に、特定されたユーザデバイスとは特定された協力集合パターンに基づいてデータ伝送を行う。【００１８】
上記の目的を実現させるために、本発明の実施例は、複数のセクタを備える基地局と、ユーザデバイスとの間で通信を行うための通信処理方法を提供する。【００１９】
前記通信処理方法において、それぞれのユーザデバイスは、各々のセクタから受信した信号の信号品質をそれぞれ測定し、それぞれのユーザデバイスは、測定の結果に基づいてチャネル品質の最もよいサービスセクタを特定し、それぞれのユーザデバイスは自身に対して、予め保存されている第１の集合からスペア協力集合を選択し、前記第１の集合には予め配置されている複数の協力集合が含まれ、それぞれの協力集合は２つ以上のセクタから構成され、それぞれのユーザデバイスが対応するスペア協力集合が、ユーザデバイスのチャネル品質の最もよいサービスセクタを少なくとも含み、基地局はそれぞれのユーザデバイスからスペア協力集合が対応するチャネル状態情報を受信し、基地局は、それぞれの協力集合パターンに含まれる複数の協力集合のうちそれぞれの協力集合が対応するユーザデバイス集合を特定し、前記協力集合が対応するユーザデバイス集合は、対応するスペア協力集合のうち前記協力集合を含むユーザデバイスから構成されており、基地局は、協力集合が対応するユーザデバイス集合におけるユーザデバイスが報告したチャネル状態情報に基づき、それぞれの協力集合に対してユーザスケジューリングを行い、基地局は、協力集合のスケジューリング結果に基づいて伝送の採用する協力集合パターン及びユーザデバイスを特定した後に、特定されたユーザデバイスとは特定された協力集合パターンに基づいてデータ伝送を行う。
【発明の効果】
【００２０】
本発明の実施例は、以下の有益な効果を有する。
本発明の具体的実施例における通信処理方法及び基地局において、ユーザデバイスの信号品質の測定結果によりユーザデバイスに協力集合を即時に割り当て、即時に割り当てられた協力集合に基づいて通信処理を行う。ユーザデバイスは、固定のセクタの固定アンテナを利用して通信するのではなく、測定されたアンテナの通信品質に基づいて複数のセクタのアンテナを選択して協力集合を構成し、協力集合中のセクタを利用して通信するのである。これにより、ユーザデバイスが通信品質のよいアンテナを利用して通信することを確保でき、セクタ境界のユーザとセクタ中心のユーザとの性能上の差異を減縮させることが可能であるとともに、システムのスループットを向上させることも可能である。
【図面の簡単な説明】
【００２１】
【図１】従来の技術における３セクタのアンテナの配置を示す図である。
【図２】本発明実施例に用いられる基地局セクタの第１種の配列方式を示す図である。
【図３】本発明第１の実施例の方法のフローを示す図である。
【図４】本発明第２の実施例の方法のフローを示す図である。
【発明を実施するための形態】
【００２２】
本発明の具体的実施例における通信処理方法及び基地局において、ユーザデバイスの信号品質の測定結果によりユーザデバイスに協力集合を即時に割り当て、即時に割り当てられた協力集合に基づいて通信処理を行うことにより、セクタ境界のユーザとセクタ中心のユーザとの性能上の差異を減縮させることが可能であるとともに、セル境界のユーザのスループット及びセルの平均スループットを５％向上させることも可能である。
【００２３】
本発明実施例について詳細に説明する前に、本発明実施例の応用場面について以下のとおり説明する。
【００２４】
本発明の実施例では、１２のセクタを有する基地局を例とする。１２のセクタの物理セクタインデックスが異なる場合、物理セクタインデックスにて１２のセクタを指示し、１２のセクタの物理セクタインデックスが同様である場合、アンテナインデックスにて１２のセクタを指示する。当該１２のセクタの配列位置は図２に示す。基地局は複数のセクタを環状の方式で設けている。
【００２５】
以下は、１２のセクタの物理セクタインデックスが異なる場合を例として、この２種類の通信方式に対してそれぞれ説明してみる。
【００２６】
図３に示すように、本発明の第１の実施例の通信処理方法は、以下のステップを含む。
ステップ４１  それぞれのユーザデバイスは、各々のセクタから受信した信号の信号品質をそれぞれ測定する。
【００２７】
ステップ４２  それぞれのユーザデバイスは、測定の結果に基づいてチャネル品質の最もよいサービスセクタを特定し、各サービスセクタ(Serving  Cell)の物理セクタインデックス(Physical  cell  index,  PCI)を基地局に通知する。
【００２８】
ステップ４３  基地局はそれぞれのユーザデバイスに対して、前記チャネル品質の最もよいサービスセクタが含まれるスペア協力集合を第１の集合からそれぞれ選択し、各ユーザデバイスがそれぞれ対応するスペア協力集合を対応するユーザデバイスに通知し、前記第１の集合には予め配置されている複数の協力集合が含まれ、それぞれの協力集合は２つ以上のセクタから構成される。
【００２９】
ステップ４４  各ユーザデバイスは、それぞれ対応する全てまたは一部のスペア協力集合が対応するチャネル状態情報を基地局へフィードバックする。
【００３０】
ステップ４５  基地局は、それぞれの協力集合パターンに含まれる複数の協力集合のうちそれぞれの協力集合が対応するユーザデバイス集合を特定し、それぞれの協力集合は２つ以上のセクタから構成されており、前記複数のセクタのそれぞれが、１つの協力集合に属しかつ前記協力集合のみに属す。
【００３１】
前記協力集合が対応するユーザデバイス集合は、対応するスペア協力集合のうち前記協力集合を含むユーザデバイスから構成されている。
【００３２】
ステップ４６  基地局は、協力集合が対応するユーザデバイス集合におけるユーザデバイスが報告したチャネル状態情報に基づき、それぞれの協力集合に対してユーザスケジューリングを行う。
【００３３】
ステップ４７  協力集合のスケジューリング結果に基づいて伝送の採用する協力集合パターン及びユーザデバイスを特定した後に、データ伝送を行う。
【００３４】
本発明の具体的実施例では、当該セクタは１本のアンテナを有することが可能であり、複数本のアンテナから構成されることも可能である。
【００３５】
「前記協力集合が対応するユーザデバイス集合は、対応するスペア協力集合のうち前記協力集合を含むユーザデバイスから構成される」ことについて、例を挙げて説明してみる。
【００３６】
仮に、協力集合Ａは、複数のユーザデバイスＡ１からなるユーザデバイス集合Ｂを備え、それぞれのユーザデバイスＡ１が対応するスペア協力集合は、いずれも協力集合Ａを含むとする。
【００３７】
ステップＡ１  基地局は、それぞれのユーザデバイスが各々報告したチャネル品質の最もよいサービスセクタの物理セクタインデックス（ＰＣＩ）を獲得する。
【００３８】
ステップＡ２  基地局はそれぞれのユーザデバイスに対して、チャネル品質の最もよいサービスセクタが含まれるスペア協力集合を第１の集合からそれぞれ選択し、各ユーザデバイスがそれぞれ対応するスペア協力集合を対応するユーザデバイスに通知し、前記第１の集合には予め配置されている複数の協力集合が含まれ、それぞれの協力集合は２つ以上のセクタから構成される。
【００３９】
ステップＡ３  基地局はそれぞれのユーザデバイスから、ユーザデバイスの全てまたは一部のスペア協力集合が対応するチャネル状態情報を受信する。
【００４０】
ステップＡ４  基地局は、それぞれの協力集合パターンに含まれる複数の協力集合のうちそれぞれの協力集合が対応するユーザデバイス集合を特定し、それぞれの協力集合は２つ以上のセクタから構成されており、前記複数のセクタのそれぞれが、１つの協力集合に属しかつ前記協力集合のみに属している。
【００４１】
前記協力集合が対応するユーザデバイス集合は、対応するスペア協力集合のうち前記協力集合を含むユーザデバイスから構成されている。
【００４２】
ステップＡ５  基地局は、協力集合が対応するユーザデバイス集合におけるユーザデバイスが報告したチャネル状態情報に基づき、それぞれの協力集合に対してユーザスケジューリングを行う。
【００４３】
ステップＡ６  基地局は、協力集合のスケジューリング結果に基づいて伝送の採用する協力集合パターン及びユーザデバイスを特定した後に、特定されたユーザデバイスとは特定された協力集合パターンに基づいてデータ伝送を行う。
【００４４】
本発明の具体的実施例では、当該サービスセクタのチャネル品質は、大スケールチャネル品質、瞬時チャネル品質、及び長時間統計平均のチャネル品質のうち何れか一種である。
【００４５】
以下は、例を挙げて本発明第１の実施例の方法について説明してみる。
仮に基地局のセクタの数をＮ、第１の集合における協力集合のセクタの数をＫ、Ｋ＝１，…，Ｎとすると、第１の集合は次のとおりである。
【数１】
2012128331.tif 000003
上記のうち、ｌは協力集合の最初のセクタインデックスである。仮にあるユーザのチャネル品質が最もよいサービスセクタの物理セクタインデックスをＭとすると、当該ユーザのスペア協力集合はインデックスＭを含む全ての協力集合となる。
【００４６】
例を次のように挙げる。
仮に基地局のセクタの数ＮをＮ＝１２とし、スペア協力集合のセクタの数をＫ＝１，…，１２とすると、第１の集合は次の表に示されるものとなる。
【表１】
2012128331.tif 000004
【００４７】
仮にユーザデバイスのチャネル品質が最もよいサービスセクタを４番号のセクタとすると、当該ユーザが対応するスペア協力集合は次の表に示されるものとなる。
【表２】
2012128331.tif 000005
【００４８】
本発明の具体的実施例では、実際のシステムにおいて、制限条件を設定してスペア協力集合の数を減少させることが可能である。例えば、プリコーディングシステムにおいて、４アンテナで伝送し、４アンテナコードブックで量子化させるのであれば、スペア協力集合に含まれるアンテナの数は４となり、セクタ毎に１本のアンテナがあるのであれば、協力集合に含まれるセクタの数はＫ＝４となり、この場合、第１の集合は、次の表で簡単に示すことができる。
【表３】
2012128331.tif 000006
【００４９】
ユーザデバイスのチャネル品質が最もよいサービスセクタの物理セクタインデックスは４番号のセクタである場合、当該ユーザのスペア協力集合は次の表に示されるものとなる。
【表４】
2012128331.tif 000007
【００５０】
本発明の第１の実施例では、基地局はスペア協力集合をユーザデバイスに発行する必要があり、ここで、高レイヤ（無線リソース制御レイヤ、無線リンク制御レイヤ、パケットデータコンバージェンスプロトコルレイヤ、または、メディアアクセス制御子レイヤなど）によってスペア協力集合をユーザ側へ発行することが可能である。
【００５１】
例えば、次のデータフォーマットによってスペア協力集合をユーザデバイスに通知することが可能である。スペア協力集合ＩＤフィールドとセクタＩＤフィールドの２つのフィールドが含まれ、スペア協力集合ＩＤフィールドは、報告のために、スペア協力集合の全て可能な集合における番号を指示し、セクタＩＤフィールドは、スペア協力集合に含まれるセクタを指示する。
【００５２】
上記の例の場合、基地局はスペア協力集合に含まれるセクタＩＤをユーザデバイスに通知すればよい。伝送されるデータは次のとおりである。
1  1  2  3  4  2  2  3  4  5  3  3  4  5  6  4  4  5  6  7
【００５３】
ユーザがスペア協力集合を取得した後に、各ユーザデバイスは、それぞれ対応する全てまたは一部のスペア協力集合が対応するチャネル状態情報を基地局へフィードバックすることが必要となる。
【００５４】
図４に示すように、本発明第２の実施例の通信処理方法は、以下のステップを含む。
ステップ５１  それぞれのユーザデバイスは、各々のセクタから受信したチャネル品質をそれぞれ測定する。
【００５５】
ステップ５２  それぞれのユーザデバイスは、測定の結果に基づいてチャネル品質の最もよいサービスセクタを特定する。
【００５６】
ステップ５３  それぞれのユーザデバイスは自身に対して、予め保存されている第１の集合から前記チャネル品質の最もよいサービスセクタが含まれるスペア協力集合を選択し、前記第１の集合には予め配置されている複数の協力集合が含まれ、それぞれの協力集合は２つ以上のセクタから構成されている。
【００５７】
ステップ５４  各ユーザデバイスは、それぞれ対応する全てまたは一部のスペア協力集合が対応するチャネル状態情報を基地局へフィードバックする。
【００５８】
ステップ５５  基地局は、それぞれの協力集合パターンに含まれる複数の協力集合のうちそれぞれの協力集合が対応するユーザデバイス集合を特定し、それぞれの協力集合は２つ以上のセクタから構成されており、協力集合パターンのいずれか一つにおいて、前記複数のセクタのそれぞれが、１つの協力集合に属しかつ前記協力集合のみに属している。
【００５９】
前記協力集合が対応するユーザデバイス集合は、対応するスペア協力集合のうち前記協力集合を含むユーザデバイスから構成されている。
【００６０】
ステップ５６  基地局は、協力集合が対応するユーザデバイス集合におけるユーザデバイスが報告したチャネル状態情報に基づき、それぞれの協力集合に対してユーザスケジューリングを行う。
【００６１】
ステップ５７  基地局は、協力集合のスケジューリング結果に基づいて伝送の採用する協力集合パターン及びユーザデバイスを特定した後に、データ伝送を行う。
【００６２】
本発明第２の実施例の通信処理方法は、基地局側からみれば、以下のステップを含む。
ステップＢ１  基地局は、それぞれのユーザデバイスからユーザデバイスの一部または全てのスペア協力集合が対応するチャネル状態情報を受信する。
【００６３】
前記ユーザデバイスのスペア協力集合は、ユーザデバイスが予め保存した第１の集合のうち、チャネル品質の最もよいサービスセクタを含むスペア協力集合である。
【００６４】
前記第１の集合には予め配置されている複数の協力集合が含まれ、それぞれの協力集合は２つ以上のセクタから構成されている。
【００６５】
ステップＢ２  基地局は、それぞれの協力集合パターンに含まれる複数の協力集合のうちそれぞれの協力集合が対応するユーザデバイス集合を特定し、それぞれの協力集合は２つ以上のセクタから構成されており、協力集合パターンのいずれか一つにおいて、前記複数のセクタのそれぞれが、１つの協力集合に属しかつ前記協力集合のみに属している。
【００６６】
前記協力集合が対応するユーザデバイス集合は、対応するスペア協力集合のうち前記協力集合を含むユーザデバイスから構成されている。
【００６７】
ステップＢ３  基地局は、協力集合が対応するユーザデバイス集合におけるユーザデバイスが報告したチャネル状態情報に基づき、それぞれの協力集合に対してユーザスケジューリングを行う。
【００６８】
ステップＢ４  基地局は、協力集合のスケジューリング結果に基づいて伝送の採用する協力集合パターン及びユーザデバイスを特定した後に、特定されたユーザデバイスとは特定された協力集合パターンに基づいてデータ伝送を行う。
【００６９】
第２の実施例と第１の実施例との差異は、次のとおりである。即ち、第１の実施例では、ユーザデバイスにとっては基地局がスペア協力集合を選択することが必要であるのに対して、第２の実施例では、ユーザデバイス自身がユーザデバイス側に予め保存された集合からスペア協力集合を選択する。また、第２の実施例では、基地局とユーザデバイスとの間で当該第１の集合をシンクロさせることが必要であるのに対して、第１の実施例では、基地局とユーザデバイスとの間で当該第１の集合をシンクロさせる必要なく、基地局がユーザデバイスの報告した測定結果に基づき、ユーザのためにスペア協力集合を選択して、ユーザデバイスへ発行する。
【００７０】
第２の実施例では、多種の方式によって、基地局とユーザデバイス間の第１の集合の同期を実現させることができる。以下のとおり説明してみる。
【００７１】
方式１
基地局は、全ての可能な協力集合を直接ユーザデバイスに通知する。仮に１２のセクタがあり、協力集合毎に４つのセクタがあるとすると、基地局は次のような１２の協力集合及びその組合せのＩＤを直接ユーザデバイスに通知すればよい。
{0,1,2,3}，{1,2,3,4},  {2,3,4,5},…,  {11,0,1,2}。
【００７２】
ユーザデバイスは、各々のスペア協力集合が対応するチャネル状態情報を基地局へフィードバックする場合に、当該協力集合のＩＤを同時に持つだけで、ユーザデバイスがどのスペア協力集合が対応するチャネル状態情報を報告したのかが基地局には分かる。
【００７３】
方式２
基地局は、ＭとＮをユーザデバイスに放送する。Ｍは当該基地局のセクタの数であり、Ｎは協力集合のセクタの数である。ユーザデバイスが、Ｍ及びＮに基づいて可能な協力集合を獲得する。
【００７４】
例えば、１２本のアンテナがあり、協力集合毎に４つのセクタがある場合、基地局は１２と４をユーザに送信するだけでよい。そして、ユーザデバイスは１２と４を基に次の協力集合即ち対応の組合せＩＤを獲得し、基地局とユーザデバイス間のシンクロを実現させることができる。
{0,1,2,3}，{1,2,3,4},  {2,3,4,5},…,  {11,0,1,2}。
【００７５】
チャネル状態情報をフィードバックする場合に、ユーザデバイスはスペア協力集合のＩＤを同時に持つだけで、ユーザデバイスがどのスペア協力集合が対応するチャネル状態情報を報告したのかが基地局には分かる。
【００７６】
本発明の具体的な実施例では、当該チャネル状態情報は、ユーザデバイスと基地局との通信方式に関わるものである。例えば、プリコーディングの方式で伝送を行う場合は、プリコーディングマトリクスのインデックス（PMI，Precoding  Matrix  Indicator）及びチャネル品質情報（CQI，Channel  Quality  Indicator）をフィードバックすることが必要となり、プリコーディングの方式で伝送を行うのではない場合は、ＣＱＩだけをフィードバックすればよい。無論、他の通信方式については、基地局がスケジューリングを行うための、各々の予定のフィードバック必要な情報がある。ここで、プリコーディングの方式で伝送を行う場合にフィードバックされるチャネル状態情報のみについて詳細に記述する。
【００７７】
本発明の具体的な実施例では、アルゴリズムによって、それぞれのスペア協力集合のために、それぞれ異なるＰＭＩを個別に選択することも可能であり、全てのスペア協力集合のために、同様なＰＭＩを選択することも可能である。以下のとおり説明してみる。
【００７８】
Ｎ種のスペア協力集合があり、コードブックにおけるプリコーディングベクトルの数がＭである場合、ユーザデバイスは次の表に示されるデータを獲得することができる。
【表５】
2012128331.tif 000008
【００７９】
方式１の場合、協力集合毎にフィードバックされるＰＭＩとＣＱＩは、次のとおりである。
【数２】
2012128331.tif 000009
【００８０】
方式２の場合、全ての協力集合に対してフィードバックされるＰＭＩは同様であるが、各々のＣＱＩは異なる。次のように示す。
【数３】
2012128331.tif 000010
【００８１】
方式３の場合、全ての協力集合に対してフィードバックされるＰＭＩもＣＱＩも同様であり、全ての協力集合のうち最も低いＣＱＩをフィードバックされるＣＱＩとする。次のように示す。
【数４】
2012128331.tif 000011
上記のうち、Ｎはスペア協力集合の数である。
【００８２】
上記の方式は、スペア協力集合毎にＰＭＩとＣＱＩをフィードバックする。ただし、フィードバックされるＰＭＩは同様でまたは異なり、また、ＣＱＩも同様でまたは異なることが可能である。
【００８３】
本発明の具体的な実施例では、更にその他の方式によってフィードバックすることが可能である。次のとおり説明してみる。
【００８４】
方式４の場合、スペア協力集合から一部のスペア協力集合を選択し、そのうち、何れか一つの選出されたスペア協力集合の最も大きいＣＱＩは、選択されなかったスペア協力集合のうち何れか一つの最も大きいＣＱＩより等しいかまたは大きい。そして、選出されたスペア協力集合毎にその最も大きいＣＱＩ、及び最も大きいＣＱＩの対応するＰＭＩをフィードバックする。
【００８５】
方式５の場合、スペア協力集合から一部のスペア協力集合を選択し、そのうち、何れか一つの選出されたスペア協力集合の最も大きいＣＱＩは、選択されなかったスペア協力集合のうち何れか一つの最も大きいＣＱＩより等しいかまたは大きい。そして、選出されたスペア協力集合毎に同様なＰＭＩをフィードバックし、当該ＰＭＩが対応する、選出された全てのスペア協力集合のＣＱＩの総和が、最も大きい。また、選出されたスペア協力集合毎に同様なＣＱＩをフィードバックし、当該ＣＱＩは、フィードバックされた、選出された全てのスペア協力集合の、当該フィードバックされたＰＭＩに対応するＣＱＩのうちの最大値、最小値または平均値である。
【００８６】
無論、更にその他の方式によってＰＭＩとＣＱＩを獲得することができる。ここで、詳細な説明を省略する。
【００８７】
また、方式３の場合は、フィードバックのオーバーヘッドが低下するが、そのシステムのスループット性能上昇の幅も低下する。これは後のシミュレーション結果で実証される。
【００８８】
本発明の第１の実施例と第２の実施例は各々のメリットがある。第２の実施例はそのフローが比較的に簡素であるが、基地局とユーザデバイス間で比較的に大きいアンテナ集合情報をシンクロさせることが必要である。
【００８９】
第１の実施例と第２の実施例のいずれにおいても、基地局は、まずそれぞれの協力集合パターンに含まれる複数の協力集合のうちそれぞれの協力集合が対応するユーザデバイス集合を特定し、そして、ユーザデバイスが報告したチャネル状態情報に基づき、それぞれの協力集合に対してユーザスケジューリングを行う。以下のとおり、例を挙げて説明してみる。
【００９０】
システムのスループットの角度からみれば、その両者は何らの区別もない。協力集合パターンは、互いに重ならない複数の協力集合であり、ユーザセル内協力マルチキャストのセル内の複数のセクタを含む。
【００９１】
仮に以下の４種類の協力集合パターンがあるとする。
協力集合パターン１：
セクタ１、２、３、４に対応する協力集合Ｘ１  
セクタ５、６、７、８に対応する協力集合Ｘ２  
セクタ９、１０、１１、０に対応する協力集合Ｘ３  
【００９２】
協力集合パターン２：
セクタ２、３、４、５に対応する協力集合Ｙ１
セクタ６、７、８、９に対応する協力集合Ｙ２
セクタ１０、１１、０、１に対応する協力集合Ｙ３
【００９３】
協力集合パターン３：
セクタ３、４、５、６に対応する協力集合Ｚ１
セクタ７、８、９、１０に対応する協力集合Ｚ２
セクタ１１、０、１、２に対応する協力集合Ｚ３
【００９４】
協力集合パターン４：
セクタ４、５、６、７に対応する協力集合Ｗ１
セクタ８、９、１０、１１に対応する協力集合Ｗ２
セクタ０、１、２、３に対応する協力集合Ｗ３
【００９５】
明らかなように、協力集合パターン毎に３つの協力集合が含まれ、それぞれの協力集合は４つのセクタから構成されており、何れか一つの協力集合パターンにおいて、前記複数のセクタのそれぞれは、１つの協力集合に属しかつ前記協力集合のみに属している。基地局は、協力集合パターンにおける協力集合が対応するユーザデバイス集合を特定する場合に、ユーザデバイスのフィードバックされた全てまたは一部のスペア協力集合が対応するチャネル状態情報に、当該協力集合が含まれるか否かのみ考慮すればよい。含まれる場合、当該ユーザデバイスは当該協力集合が対応するユーザデバイス集合に属し、さもなければ、属しない。
【００９６】
例えば、協力集合パターン１の協力集合Ｘ１の場合は、ユーザデバイスＡのスペア協力集合にセクタ１、２、３、４が含まれるのであれば、ユーザデバイスＡは協力集合Ｘ１が対応するユーザデバイス集合に属し、さもなければ、デバイスＡは協力集合Ｘ１が対応するユーザデバイス集合に属しない。
【００９７】
それぞれの協力集合が対応するユーザデバイス集合を特定した後に、ユーザデバイスが報告したチャネル状態情報に基づいてユーザスケジューリングを行うことができる。例えば、プロポーショナルフェアネスやラウンドロビンなどのアルゴリズムによりスケジューリングを行う場合、それぞれの協力集合パターンの各協力集合について、１または複数のユーザがスケジューリングされることができる。協力集合パターンの各協力集合のスケジューリングされたユーザにより、各協力集合パターンの各々の優先順位を算出することができる。
【００９８】
最後に、優先順位の最も高い協力集合パターン、及び当該協力集合パターンにおける各協力集合のスケジューリングされたユーザデバイスを選択してデータ伝送を行えばよい。
【００９９】
本発明は、基地局内における協力マルチキャストのユーザ側フィードバック、基地局側スケジューリングの方法を設計することにより、システムの平均スループットを向上させるとともに、セクタ境界のユーザのスループットを更に向上させ、セクタ境界のユーザとセクタ中心のユーザとの性能上の差異を減縮させることが可能となる。
【０１００】
本発明実施例の効果を実証するために、本発明実施例の方法についてシミュレーションを行った。シミュレーションの条件は次のとおりである。
【表６】
2012128331.tif 000012
【０１０１】
シミュレーションの結果は、次のとおりである。
【表７】
2012128331.tif 000013
【０１０２】
従来のシステムに対して、１２セクタの配置において協力マルチキャストの技術を採用し、かつ全ての協力集合について同様なＰＭＩ、同様なＣＱＩをフィードバックするフィードバック方法を採用する場合は、フィードバックオーバーヘッドを増加することなく、５.５％のセル平均スループットのゲインと２７％のセル境界ユーザスループットのゲインを実現させることができる。全ての協力集合が異なるＰＭＩと異なるＣＱＩをフィードバックするフィードバック方法を採用する場合は、費用が向上する一方、スループットを向上させることもできる。この方式で、約１０％のセル平均スループットのゲインと、約３４％のセル境界ユーザスループットのゲインを実現させることができる。
【０１０３】
本発明の実施例は、複数のセクタを設ける基地局を提供している。
前記基地局は、それぞれのユーザデバイスからスペア協力集合が対応するチャネル状態情報を受信する受信モジュールと、それぞれの協力集合パターンに含まれる複数の協力集合のうちそれぞれの協力集合が対応するユーザデバイス集合を特定し、前記協力集合が対応するユーザデバイス集合は対応するスペア協力集合のうち前記協力集合を含むユーザデバイスから構成されるユーザデバイス集合特定モジュールと、協力集合が対応するユーザデバイス集合におけるユーザデバイスが報告したチャネル状態情報に基づき、それぞれの協力集合に対してユーザスケジューリングを行うためのスケジューリングモジュールと、協力集合のスケジューリング結果に基づいて伝送の採用する協力集合パターン及びユーザデバイスを特定し、特定されたユーザデバイスとは特定された協力集合パターンに基づいてデータ伝送を行うための通信処理モジュールと、を含む。
【０１０４】
基地局とユーザデバイスとの間で協力集合をシンクロさせない場合、上記の基地局は、更に、それぞれのユーザデバイスが各々報告したチャネル品質の最もよいサービスセクタの物理セクタインデックス（ＰＣＩ）を獲得するための第１のアンテナ特定モジュールと、それぞれのユーザデバイスに対して、各々のチャネル品質の最もよいサービスセクタを少なくとも含むスペア協力集合を予め配置されている協力集合からそれぞれ選択して、ユーザデバイスへ発行するための第１のスペア協力集合処理モジュールと、を含む。
【０１０５】
前記スペア協力集合処理モジュールは、前記スペア協力集合を高レイヤによってユーザデバイスへ発行する。
【０１０６】
前記ユーザデバイスが報告したスペア協力集合が対応するチャネル状態情報のうち、それぞれのスペア協力集合が対応するチャネルのＰＭＩは、異なる。
【０１０７】
前記ユーザデバイスが報告したスペア協力集合が対応するチャネル状態情報のうち、それぞれのスペア協力集合が対応するチャネルのＰＭＩは、同様である。
【０１０８】
以上は、本発明の好ましい実施方式である。本発明の原理を基に、若干の改良を実現することが、当業者にはできる。これらの改良は本発明の保護範囲と見なされるべきものである。
【０１０９】
本出願は、２０１１年３月２４日出願の２０１１１００７２５７６．５に基づく。この内容は、全てここに含めておく。
【図１】
2012128331.tif 000014
【図２】
2012128331.tif 000015
【図３】
2012128331.tif 000016
【図４】
2012128331.tif 000017
【国際調査報告】
2012128331.tif 000018
2012128331.tif 000019